(57)【要約】【課題】巻取装置において、材料の送り出し速度と引き取り速度を同一に、かつ材料のダンサー位置が中央に来るように制御されるが、その運転開始時に巻取機の初期巻径を計測し、装置に入力する必要があり、これらを人為的に実行すると誤計測、誤入力し、制御不能に至らしめることがある。【解決手段】材料をダンサー最低位置におき、送り出し速度を０とし、この状態から、架空の初期巻径から巻取り制御を行なうと、材料はダンサー位置は最低位置から中央へ徐々に移動して行き、巻取機は停止する。この間のライン速度及び巻取機回転数は、０から出発し、増加し、ある最大値を持ってやがて０なる。この時のそれぞれの最大値を元に、初期巻径を演算する。操作者による計測、入力を自動的に装置が行うため、前記の解決すべき誤計測、誤入力という課題を解決できる。【選択図】図１
2010184772.tif 000002
【特許請求の範囲】
【請求項１】
巻き取り装置において、該巻き取り装置の運転開始前に材料を弛ませ、巻き取り開始時に前記巻き取り装置の巻取機を回転させてその回転数を検出し、巻き径を正確に検出することにより、
ＰＬＣ （プログラマブルロジックコントローラ、ｐｒｏｇｒａｍｍａｂｌｅ  ｌｏｇｉｃ  ｃｏｎｔｒｏｌｌｅｒ）の機能を用いて自動的に初期巻径を測定および設定することを特徴とする初期巻径自動演算方法。
【発明の詳細な説明】
【技術分野】
【０００１】
本発明は、巻取装置における初期巻径の自動演算に関するものである
【背景技術】
【０００２】
紙・布・フィルムなどの巻取装置においては、巻取機の周速と紙・布・フィルムなどの材料（以下単に材料という）の送り出し機の速度と引き取り機の速度が同一に、かつ、材料を弛ませるダンサーの位置が中央に来るように制御しており、このため、巻取機の初期巻径を運転開始時にあらかじめ認知し、制御情報として使う必要がある。
しかしながら、使用する巻取機の運転開始時の初期巻径は常に一定ではなく、運転開始時に巻径を計測する必要があるが、巻取装置操作者がその都度、巻径を計測し制御装置に入力している。
【先行技術文献】
【特許文献】
【０００３】
【特許文献１】特開平８−２４５０３０号公報
【発明の概要】
【発明が解決しようとする課題】
【０００４】
前記のように、操作者が巻径を計測し、その値を装置に入力するにおいては、誤計測および誤入力を行うことがあり、前記周速とライン速度を同一とする制御が実現できないことが発生する。この為、運転開始時に初期状態として、巻取機の回転数を求めて巻き径を自動で演算する方法はあるが、材料に弛みが無い状態では、巻取機は、ほぼストール状態であり、回転数が正確に計算できず、誤計測となる。
本発明は、かかる課題を解決しようとするものである。
【課題を解決するための手段】
【０００５】
請求項１の発明によれば、巻き取り装置において、該巻き取り装置の運転開始前に材料を弛ませ、巻き取り開始時に前記巻き取り装置の巻取機を回転させてその回転数を検出し、巻き径を正確に検出することにより、運転開始時の初期径を人為的に測定し設定することなく、また、寸法測定センサを用いることなく、ＰＬＣ（プログラマブルロジックコントローラ、ｐｒｏｇｒａｍｍａｂｌｅ  ｌｏｇｉｃ  ｃｏｎｔｒｏｌｌｅｒ）の機能を用いて自動的に測定および
設定することを特徴とする初期巻径自動演算方法である。
【０００６】
すなわち、実際に材料の巻取りに入るまでに、材料に弛みを設け、巻取機がストール状態に入る前の回転数を求めることにより、巻取装置のライン速度、巻取機の回転数から、自動的に巻径を正確に演算・入力することで、人為的な誤計測・誤入力をなくすものである。
【０００７】
さらに、材料をダンサー最低位置におき、送り出し速度を０とし、この状態から、架空の初期巻径から巻取り制御を行なうと、材料はダンサー位置の最低位置から中央へ徐々に移動して行き、巻取機は停止する。この間のライン速度及び巻取機回転数は、０から出発し、増加し、ある最大値を持ってやがて０なる。この時のそれぞれの最大値を元に、初期巻径を演算するものである。
【発明の効果】
【０００８】
本発明によれば、操作者による計測、入力を自動的に装置が行うため、前記の解決すべき誤計測、誤入力という課題を解決することができる。
【図面の簡単な説明】
【０００９】
【図１】本発明の説明のための巻取装置構成例である。
【発明を実施するための形態】
【００１０】
運転開始前に材料の巻き径を、特別な計測装置を設置することなく、巻き弛みを設けることにより、材料の巻径を求めることを実現した。
【実施例１】
【００１１】
図１は、本発明装置の実施例である。
通常の巻取装置は、巻取機１の回転数を制御することで、材料５の送り出し機３の速度と引き取り機２の速度が同じになり、かつ、ダンサー４が常に中央位置Ｂに来るようにしている。
巻取機１の回転数を検出する回転数検出器１-１、材料５の送り出し、引き取り速度であるライン速度を検出する速度検出器２-２として、この制御のために必要な巻取の巻径情報等は、以下の関係式となる。
（数１）  Ｄｗ＝Ｖｌ／（πＮｗ）・・・・（１）
（数２）  Ｎｗ＝Ｖｌ／（πＤｗ）・・・・（２）
Ｄｗ：巻取機１の巻径
Ｎｗ：巻取機１の回転数
Ｖｌ：ライン速度であり、材料５の送り出し、引き取り速度である
【００１２】
この初期巻径を自動計測するにあたり、まず、材料５をダンサー４の最下端位置であるダンサー位置Ａにおき、送り出し速度を０とする。
次に、架空の巻径から式（１）に従い制御すると、材料５はダンサー位置Ａからダンサー４の中央位置であるダンサー位置Ｂへ徐々に移動して行き、ダンサー位置Ｂへ到達した時、巻取機１は停止する。これは、送り出し速度が０であり、ダンサー４の位置が中央に来た為である。
【００１３】
この間のライン速度及び巻取機回転数は、０から出発し、増加し、ある最大値を持ってやがて０なる。この時のそれぞれの最大値を元に、次式を演算すると、これが巻取機１の初期巻径になる。
（数３）  Ｄｗ（ｍａｘ）＝Ｖｌ（ｍａｘ）／（πＮｗ（ｍａｘ））・・・・（３）
Ｄｗ（ｍａｘ）：巻取機１の巻径の最大値
Ｎｗ（ｍａｘ）：巻取機１の回転数の最大値
Ｖｌ（ｍａｘ）：ライン速度の最大値
【００１４】
このようにして求められた巻取機１の巻径Ｄｗ（ｍａｘ）を巻き始めの初期巻径として自動的に装置に取り込み、材料５の送り出し機３の速度と引き取り機２の速度が同じに、かつ材料５を弛ませるダンサー４の位置が中央に来るように制御する制御情報として使用し、式（１）あるいは式（２）に従い巻取り制御を実行することで、前述の課題を解消することができる。
【産業上の利用可能性】
【００１５】
巻取装置において、材料の送り出し速度と引き取り速度を同一に、かつ材料のダンサー位置が中央に来るように制御されるが、その運転開始時に巻取機の初期巻径を計測し、装置に入力する必要があり、これらを人為的に実行すると誤計測、誤入力し、制御不能に至らしめることがある。
材料をダンサー最低位置におき、送り出し速度を０とし、この状態から、架空の初期巻径から巻取り制御を行なうと、材料はダンサー位置は最低位置から中央へ徐々に移動して行き、巻取機は停止する。この間のライン速度及び巻取機回転数は、０から出発し、増加し、ある最大値を持ってやがて０なる。この時のそれぞれの最大値を元に、初期巻径を演算する。操作者による計測、入力を自動的に装置が行うため、前記の解決すべき誤計測、誤入力という課題を解決できる。
既に任意の巻径に巻き取った材料より、さらに加算して巻き取る際、特に有効である。
【符号の説明】
【００１６】
１        巻取機
１−１    回転数検出器
２        引き取り機
２−１    速度検出器
３        送り出し機
４        ダンサー
５        材料
【図１】
2010184772.tif 000003